(57)【要約】【課題】商品をトレーに載せたまま、横倒しにすることなく、嵩の低い状態にして輸送できる吊下式陳列具を提供する。【解決手段】複数のトレー１を両側で連結し、各トレー１が上下に並んだ状態で吊り下げて、トレー１に載置した商品を陳列する吊下式陳列具において、各トレー１を帯状の連結板２により軸ピン１８を介して回動自在に軸支し、トレー１及び連結板２の一方に固定したガイドピン１９を、他方に設けた円弧状のガイド穴１５に沿ってスライドさせることにより、各トレー１を正立させたまま連結板２に対し相対回転させ、各トレー１が上下に並ぶ状態と、前後に並ぶ状態とに変換可能とし、各トレー１が前後に並んだ状態で、連結板２を折目線１７沿いに折り畳むことにより、トレー１の間隔を詰められるようにする。【選択図】図１
2008061821.tif 000002
【特許請求の範囲】
【請求項１】
複数のトレー(1)を両側で連結し、各トレー(1)が上下に並んだ状態で吊り下げて、トレー(1)に載置した商品を陳列する吊下式陳列具において、
各トレー(1)を帯状の連結板(2)により軸ピン(18)を介して回動自在に軸支し、トレー(1)及び連結板(2)の一方に固定したガイドピン(19)を、他方に設けた円弧状のガイド穴(15)に沿ってスライドさせることにより、各トレー(1)を正立させたまま連結板(2)に対し相対回転させ、各トレー(1)が上下に並ぶ状態と、前後に並ぶ状態とに変換可能とし、各トレー(1)が前後に並んだ状態で、連結板(2)を折目線(17)に沿って折り畳むことにより、トレー(1)の間隔を詰められるようにしたことを特徴とする吊下式陳列具。
【発明の詳細な説明】
【技術分野】
【０００１】
この発明は、上下に並ぶ複数のトレーに商品を載せて、吊り下げた状態で陳列する吊下式陳列具に関するものである。
【背景技術】
【０００２】
従来、図８に示すように、複数のトレー５１を連結し、各トレー５１が上下に並んだ状態で吊り下げて、トレー５１に載置した商品を陳列する吊下式陳列具において、各トレー５１の側壁５２を、連結部５３を介して一枚に繋がったものとし、連結部５３にそれぞれ３本の折目線５４を幅方向に入れたものが知られている（下記特許文献１参照）。
【０００３】
この陳列具では、トレー５１に商品を載せたまま小売店へ輸送する際、連結部５３を折目線５４に沿って内側へ折り込むと、トレー５１の上下方向の間隔を詰めて嵩を減少させ、外箱に収納した状態で輸送することができる。
【０００４】
【特許文献１】特開平８−３３５２７号公報
【発明の開示】
【発明が解決しようとする課題】
【０００５】
しかしながら、上記陳列具では、輸送時に上段のトレーの荷重が下段のトレーに作用して、下段のトレーが変形するおそれがあり、また、陳列具を横倒しにすると、商品が液体の薬品や化粧品入りの瓶などである場合、商品から液漏れが生じるおそれがある。
【０００６】
そこで、この発明は、商品をトレーに載せたまま、横倒しにすることなく、嵩の低い状態にして輸送できる吊下式陳列具を提供することを課題とする。
【課題を解決するための手段】
【０００７】
上記課題を解決するため、この発明は、複数のトレーを両側で連結し、各トレーが上下に並んだ状態で吊り下げて、トレーに載置した商品を陳列する吊下式陳列具において、各トレーを帯状の連結板により軸ピンを介して回動自在に軸支し、トレー及び連結板の一方に固定したガイドピンを、他方に設けた円弧状のガイド穴に沿ってスライドさせることにより、各トレーを正立させたまま連結板に対し相対回転させ、各トレーが上下に並ぶ状態と、前後に並ぶ状態とに変換可能とし、各トレーが前後に並んだ状態で、連結板を折目線に沿って折り畳むことにより、トレーの間隔を詰められるようにしたのである。
【発明の効果】
【０００８】
この吊下式陳列具では、トレーの連結板に対する相対回転に伴い、輸送時にトレーを正立させた状態で前後に並べるので、商品をトレーに載せたまま、横倒しにすることなく、いずれのトレーにも荷重を作用させずに、トレーの間隔を詰めることができ、このように嵩を低くした状態で、効率よく輸送することができる。
【発明を実施するための最良の形態】
【０００９】
以下、この発明の実施形態を添付図面に基づいて説明する。
【００１０】
図１及び図２に示すように、この発明の第１実施形態に係る吊下式陳列具は、商品の陳列時に上下に並び、輸送時に前後に並ぶ２個のトレー１と、これらを両側で連結する２枚の帯状の連結板２とから構成される。トレー１は、図３に示すような段ボールのブランクから形成され、連結板２は、板紙を材料として形成される。
【００１１】
トレー１のブランクでは、高さが低い前壁３の両側に、後方が高くなる側壁４が連設され、一方の側壁４の後端に後壁５及び継代片６が順次連設されている。前壁３、側壁４及び後壁５の下端には底壁７が連設され、前壁３の上端には内前板８及び内底板９が順次連設されている。
【００１２】
また、側壁４の上縁及び斜縁には補強片１０が連設され、側壁４の下部及び中間部にはそれぞれ固定穴１１，１２が設けられている。側壁４の上部及び補強片１０には、紐穴１３が設けられている。
【００１３】
連結板２では、上下部にそれぞれ固定穴１４及びガイド穴１５が設けられ、ガイド穴１５は、中心角が９０°の円弧状で固定穴１４の上方から後方へ向かい、その前端部にはストッパ片１６が設けられている。連結板２の中間部には、幅方向の折目線１７が３本間隔をあけて設けられている。
【００１４】
上記のようなブランクからトレー１を組み立てるには、図１に示すように、前壁３、一対の側壁４及び後壁５を角筒状に折り曲げ、継代片６を反対側の側壁４に貼り付け、隣接する底壁７を貼り合わせて、対向する底壁７同士を噛み合わせ、補強片１０を側壁４の内面に貼り付け、内前板８及び内底板９を前壁３及び底壁７にそれぞれ重ねる。
【００１５】
次に、２個のトレー１を連結して陳列具を組み立てるには、連結板２を各トレー１の両側外面に沿わせて、一致した固定穴１１，１４に軸ピン１８を挿通して抜け止めすると共に、固定穴１２及びガイド穴１５にガイドピン１９を挿通して抜け止めする。
【００１６】
これにより、軸ピン１８及びガイドピン１９はトレー１の側壁４に固定され、ガイドピン１９は、連結板２のガイド穴１５に沿ってスライド可能となる。
【００１７】
このように組み立てた陳列具を使用して、店頭で商品を陳列する際には、紐穴１３に吊紐を挿通して陳列具を吊り下げ、トレー１を２個上下に並んだ状態とし、ガイドピン１９をストッパ片１６に係合させて、ガイド穴１５の前端部から移動しないようにする。
【００１８】
この陳列状態では、各トレー１が連結板２に軸ピン１８とガイドピン１９とで支持されるので、商品を載せた各トレー１がふらつくことなく安定し、重量のある商品や、背の高い商品でも、安定して陳列することができる。
【００１９】
一方、この陳列具を商品と共に小売店へ輸送する際には、図２に示すように、ガイドピン１９を、ストッパ片１６を乗り越えさせて、ガイド穴１５に沿って後方へスライドさせる。これにより、各トレー１は連結板２に対し相対回転し、正立したまま移動して、前後に並ぶ状態に変換される。
【００２０】
次に、連結板２を折目線１７に沿ってＭ字状に折り畳むと、トレー１の間隔が詰められて、嵩の低い状態となる。
【００２１】
このように、上記吊下式陳列具では、輸送時にトレー１を正立させた状態で前後に並べるので、商品をトレー１に載せたまま、横倒しにすることなく、いずれのトレー１にも荷重を作用させずに、トレー１の間隔を詰めることができる。
【００２２】
従って、商品が液体の薬品や化粧品入りの瓶などであっても、液漏れが生じるおそれがなく、トレー１の変形や商品の破損を防止しつつ、嵩を低くした状態で外箱に収納し、効率よく輸送することができる。
【００２３】
また、店頭では、前側のトレー１を持ち上げるだけで、図１に示すように、トレー１が２個上下に並んだ陳列状態とすることができ、商品の移し替え等を行うことなく、迅速に陳列作業を行うことができる。
【００２４】
なお、上記第１実施形態では、トレー１にガイドピン１９を固定し、連結板２にガイド穴１５を設けたが、図４乃至図５に示す第２実施形態のように、連結板２にガイドピン１９を固定し、トレー１にガイド穴１５を設け、第１実施形態とは逆方向にトレー１と連結板２とを相対回転させるようにしてもよい。
【００２５】
また、図６及び図７に示す第３実施形態のように、異径の２本のガイド穴１５の一方を連結板２に、他方をトレー１にそれぞれ設け、トレー１に固定したガイドピン１９を連結板２のガイド穴１５に挿入し、連結板２に固定したガイドピン１９をトレー１のガイド穴１５に挿入して、トレー１のガタつきを抑制するようにしてもよい。
【００２６】
また、上記各実施形態では、トレー１として、上部が開放されたものを例示したが、トレー１は、商品を収納して上部を閉じる蓋付きのものとしてもよい。また、トレー１は、周壁が六角筒状や八画筒状となったものでもよく、前部が湾曲したものであってもよい。
【００２７】
そのほか、輸送時に、連結板２は蛇腹状に折り畳むようにしてもよく、連結板２の折畳状態を保持するロック手段を切込等により設け、外箱に収納しなくても、トレー１の間隔を詰めた状態が維持されるようにしてもよい。
【図面の簡単な説明】
【００２８】
【図１】この発明の第１実施形態に係る吊下式陳列具の陳列状態を示す斜視図
【図２】同上の輸送状態を示す斜視図
【図３】同上の構成部材のブランクを示す図
【図４】この発明の第２実施形態に係る吊下式陳列具の陳列状態を示す斜視図
【図５】同上の輸送状態を示す斜視図
【図６】この発明の第３実施形態に係る吊下式陳列具の陳列状態を示す斜視図
【図７】同上の輸送状態を示す斜視図
【図８】従来の吊下式陳列具の陳列状態を示す斜視図
【符号の説明】
【００２９】
１  トレー
２  連結板
３  前壁
４  側壁
５  後壁
６  継代片
７  底壁
８  内前板
９  内底板
１０  補強片
１１，１２  固定穴
１３  紐穴
１４  固定穴
１５  ガイド穴
１６  ストッパ片
１７  折目線
１８  軸ピン
１９  ガイドピン
【図１】
2008061821.tif 000003
【図２】
2008061821.tif 000004
【図３】
2008061821.tif 000005
【図４】
2008061821.tif 000006
【図５】
2008061821.tif 000007
【図６】
2008061821.tif 000008
【図７】
2008061821.tif 000009
【図８】
2008061821.tif 000010